(57)【要約】陰茎を伸長させるための装着具がベルト（１）を具えており、このベルト（１）は腰の周りに装着するよう構成され、小さな回転フック介して伸縮できない２つの締め上げストラップ（８，１５）に後部が接続され、ストラップはそれぞれ長さ調節のための１組のハーフリング（９，１６）を有している。一方のストラップ（８）の下端は、陰茎の基部の周囲に設置される調節可能なロープ環（１３）を担持している。他方のストラップ（１５）の下端は、陰茎の先端の近くで陰茎の周りを囲んで締め付ける柔軟性のある調節環（１９）にＬ形の接続部材（１７）を介して接続されている。ストラップを締め付けたり緩めたりすることによって、歩行中や衣服の上からであっても、陰茎を伸長させる力が容易且つ素早く調節される。【選択図】なし
2009523530.tif 000002
【特許請求の範囲】
【請求項１】
陰茎を伸長させるための装着具であって、
締結手段（２）を具えた使用者の腰に巻くためのベルトであって、前記ベルトに２つの締め上げストラップ（８，１５）を結合するために位置を調節できる２つのひも状環部（５，６）を後側に有するベルト（１）と、
前記陰茎の基部及び前記ベルトに牽引力を加えて伸縮力により睾丸が不快に引き上げられるのを防ぐための手段（Ａ）と、
前記陰茎の頭部の先端及び前記ベルトに牽引力を加えるための手段（Ｂ）と、
を具えることを特徴とする装着具。
【請求項２】
前記２つの締め上げストラップ（８，１５）を結合するための環部（５，６）が、穴の開いたバンド（３）の２つの穴を通して２箇所から引き出されるひも（４）から成り、
前記ひも及び前記穴の開いたバンドの双方が前記ベルト（１）後部の外側上部に取り付けられることにより、前記穴の開いたバンドが前記ひもを覆って取り付けられることを特徴とする請求項１に記載の装着具。
【請求項３】
前記陰茎の基部及びベルト（１）に牽引力を加えて伸縮力により睾丸が不快に引き上げられるのを防ぐための手段（Ａ）が、締め上げストラップ（８）を具えており、
さらに、前記ストラップ（８）が、前記ベルト（１）に締め上げストラップを結合するための回転スナップホック（７）と、前記ストラップの長さ調節のための２つのハーフリング（９）と、保護パッド（１２）を具えたロープ（１１）と、陰茎の基部の支えのための調節環（１３）を形成するロープ調節手段（１０）と、を有することを特徴とする請求項１に記載の装着具。
【請求項４】
前記陰茎の頭部の先端及び前記ベルト（１）に牽引力を加えるための手段（Ｂ）が、締め上げストラップ（１５）を具えており、
さらに、前記ストラップ（１５）が、前記ベルト（１）にストラップ（１５）を結合するための回転スナップホック（１４）と、ストラップ（１５）の長さ調節のための２つのハーフリング（１６）と、柔軟性がありわずかに伸長可能なコード状部材（１８）と、前記締め上げストラップ（１５）に前記陰茎を結合し、前記陰茎の頭部の先端の近くで前記陰茎の周りに巻くための調節環（１９）を形成することで前記陰茎に牽引力を加え得るＬ形の結合部材（１７）と、を有することを特徴とする請求項１に記載の装着具。
【請求項５】
前記陰茎の基部の支えのための調節環を形成するロープ調節手段（１０）が、２つのＵ形分岐部のそれぞれにわずかに重なり合う１組の穴（２３ａと２４ａ，２３ｂと２４ｂ）を有する１つのＵ形の堅い部材であり、
ロープ（１１）を通して固定するための前記穴（２３ａ，２４ａ，２３ｂ，２４ｂ）が、前記ロープの直径と等しい直径を有することを特徴とする請求項２に記載の装着具。
【請求項６】
前記締め上げストラップ（１５）に前記陰茎を結合し、前記陰茎の頭部の先端の近くで前記陰茎の周りに巻くための調節環（１９）を形成することで前記陰茎に牽引力を加え得るＬ形の結合部材（１７）が、１つの堅い平らなＬ形部材であり、
前記Ｌ形部材が、Ｌ形の短い方の部分に締め上げストラップ（１５）を通すためのＵ形の開口部（２０）と、Ｌ形の長い方の部分の各側部のコード状部材（１８）の調節、固定及び素早い解放のため１組の溝部（２２ａ，２２ｂ）と、を有しており、
前記溝部が、通り抜けるコード状の部材（１８）を締め付けるための寸法となっており、
前記結合部材（１７）が、前記Ｌ形の長い方の部分の下端の中央に２つの隣接する穴（２１）を有しており、
前記コード状部材が前記陰茎の頭部の先端の近くで前記陰茎に巻くための調節環（１９）を形成しており、
前記穴（２１）が前記コード状部材の直径よりも大きい直径を有していることを特徴とする請求項３に記載の装着具。
【発明の詳細な説明】
【技術分野】
【０００１】
本発明は、人体の組織、特に陰茎を伸長させるための装着具に関する。本発明は、陰茎の伸長を実現するよう独創的に構成された装着具を使用する。
【背景技術】
【０００２】
陰茎の伸長及び増大に関する課題を解決するための多くの試みがなされている。以下の技術は、当分野の現状を規定する：すなわち、Ｊｏｒｎ（ＥＰ０８１４７３３），Ｊａｋｏｂ（ＷＯ９７２８７６４），Ｈｅｉｎｚ−Ｇｕｅｎｔｈｅｒ（ＤＥ１９９１５４０７  ａｎｄ  ＤＥ１９６２０７１９），Ｄａｎｉｅｌ（ＵＳ５５９９２７５），Ｄｉｄｉｅｒ（ＥＰ０３７０９３２）等であり、全てが機械式及び／又は重力を用いることによって陰茎を伸長させるための機械式器具を説明している一方で、Ｒｏｌａｎｄ（ＵＳ５８３６８６４）は、その発明において同様の目的で真空にすることによって同じような力を使用する。
【０００３】
上記の全ての器具は、ある大きな欠点を有している：すなわち、それらは終日使用するように構成されていない。本器具を構成する機械的なパーツは：硬く、人体の動きに対して敏感で、衣服の中で非常に目立つ大きなサイズのために使用するのに不快感があり、それらは迅速且つ容易な伸長力の調節に関する課題を効果的に解決しない。これら全ての欠点は、これらの器具の使用を家庭での使用のみ、すなわち、人目を避けた使用状態のみに減らしてしまい、結果としてその効果が低くなる。陰茎の伸長及び増大のために絶えず長期間（例えば、１日に６から８時間装着して１年で約２から３ｃｍ増大する）にわたってこれらの器具を装着する必要があるという事実に関して、このような器具を構成する際に考慮しなければならない最も重要な事は、いかなる場合（歩行、座って作業、車の運転、バスの乗車、肉体労働、身体活動及びスポーツ等）であっても器具を使用するのが快適で実用的であるということである。世界の特許データベースに関する我々の調査によれば、これらの要請は依然として十分に叶っていないと言うことができる。
【発明の開示】
【発明が解決しようとする課題】
【０００４】
従って、本発明の主要な目的は、長期間及び終日の使用に対して快適且つ実用的な、人間の陰茎を伸長させるための装着具を提供することである。
【０００５】
本発明の別の目的は、強い牽引力を実現する可能性を具え、このような力の素早く且つ簡単な調節の可能性を具えた、任意の大きさの人間の陰茎を伸長させるための装着具を提供することである。
【課題を解決するための手段】
【０００６】
上記の必要性を満足させるために、本発明に係る陰茎を伸長させるための装着具が、装着者の腰に巻くよう構成されたベルトを具えており、ベルトの後側が小さなスナップホックを介して伸縮できない２つの締め上げストラップに結合され、ストラップがそれぞれ長さ調節のための１組のハーフリングを有する。前記ストラップの下端は、陰茎の周囲に付けられる調節可能なロープ環を担持している。もう一つのストラップの下端は、Ｌ形の結合部材を介して、陰茎の頭部の近くで陰茎の周囲に巻いて締め付ける柔軟性のある調節環に結合されている。当該ストラップの締め付けにより、陰茎に持続的な伸長力を与え、この力が、十分な長い期間の後に、組織塊の増大プロセス（このプロセスは多くの原始的部族によって過去に知られ、さらに依然として今も知られている）によって、陰茎を伸長且つ増大させる。提供されている装着具は、柔軟性があって人体に優しい素材で実現し、大きくて堅い部分を含まないため、装着且つ運び易い。この装着具は、ズボンの下で目立たないだでけでなく、パンツ又はボクサーパンツ等の下でも目立たない。それを使用する間に、装着者は自由に歩くことができ、日常の活動、作業、車の運転、ランニング、水泳、及び他の活動を行うことができる。さらに、衣服の上から又はポケットを介して適切な指の動きを使って、（歩行中でさえも、立ち止まらずに）装着者は簡単且つ素早くストラップにかかる伸縮力を調節できる。このような装着具は、装着具の構成により及び装着具のベルトの後部が強くて伸縮できないバンドでできており、装着具が伸縮できない締め上げストラップ及び非常に弾力性の低いロープ環でできているという事実によって、陰茎に強い牽引力を与えることが可能であり、このような方法により、いかなるサイズ（大きなサイズでさえ）の陰茎を伸長させるために本装着具を使用できる。最小限の大きさ（全ての大きさの陰茎に対して同じような最小限の大きさ）で、重さのある単一部分の態様のＬ形の結合部材が、使用中に装着具を「知覚できない」ようにする一方で、当該部材のＵ形の開口部が陰茎を伸ばすことのできる幅広い角度及び位置を与える。さらに、締め上げストラップのサイドを簡単に変え得る（すなわち、陰茎の配置及び伸長する側を変える）ことで、装着具の快適性が提供される。また、ロープ及び弾力性のある環部双方の素早い解放機能によって快適性がもたらされ、いかなる種類の痛みの発生や副作用を防ぐ。このような装着具は、非常に分解且つ洗浄し易い。装着具を作っている耐久性のある材料によれば、長期にわたって使用できる。
【０００７】
本発明の係るこのような態様又は他の態様及び利点が、添付の図面と共に以下の詳細な説明から明らかとなろう。
【発明を実施するための最良の形態】
【０００８】
ここで、図１から図４を参照すると、図示する陰茎を伸長させるための装着具は、伸縮自在のベルト１を有しており、このベルト１は木綿及び合成繊維等の混合物で製造され、装着者の腰の周りに固定するための調節手段２を有している。調節手段２は様々な実施例を有する。好適な実施例では、調節手段２は簡単なプラスチックでできた軽量のバックルを具える。図４を参照すると、伸縮できない強くて細いひも３と、このひもを覆い穴４を具えた伸縮できない強いバンドとが、いずれも合成繊維でできており、ベルト１の上縁に沿ってベルト１の後ろの外側に取り付けられている。ひも３は、３つのポイント：すなわち左右両端部及び中央部でベルト１に取り付けられており、このひもは２箇所から引き出され、すなわち、バンド４の２つの穴を通され（どの２つの穴を通すのかはウエストによる−図４参照）、２つの環５及び６を形成する。小さな金属製の回転スナップフック７及び１４をそれぞれ用いて、サブシステムＡ及びＢ（図２参照）が、環５及び６に入れられる。本発明に与えられた機能に従って、簡単な説明のために、本発明の３つの機能的なパーツがさらに、ベルト手段サブシステム、サブシステムＡ及びサブシステムＢとして表現される。サブシステムＢは、ある方向に向けて陰茎及びベルト１に牽引力を与える一方、サブシステムＡは、陰茎さらにはベルト１にサブシステムＢとは反対方向に牽引力を与え、ベルト１が装着者の腰の周りで回転して緩むことで伸縮力が完全に無くならないようにする。サブシステムＡのさらなる目的は、牽引力の影響を受けて睾丸を引き上げることができないようにして、睾丸を自由に吊った状態にして、痛みが喚起されたり副作用が現れないようにするための手段を提供することである。
【０００９】
サブシステムＡは、ストラップの長さ調節のための２つの金属製のハーフリング９を有する伸縮できない木綿の締め上げストラップ８から成り（図２参照）、このストラップの上部がスナップフック７の環に挿入され、ストラップの下部がロープ１１の周りの部分に挿入され、ロープ１１の周りの部分がロープ調節手段１０（図５参照）の穴２４ａ及び２４ｂに通される。さらに、サブシステムＡは、前記ロープ調節手段１０と保護パッド１２を具えた前記ロープ１１とを有しており、このロープ１１がロープ調節手段１０の穴２４ａ及び２４ｂに通されることで、使用時にロープ１１が陰茎基部の支えのための調節環１３を形成する。
【００１０】
サブシステムＢは、ストラップの長さ調節のための２つの金属製のハーフリング１６を有する伸縮できない木綿の締め上げストラップ１５から成り（図２参照）、このストラップの上部がスナップフック１４の環に挿入され、ストラップの下部がＬ形のほぼ平らな結合部材１７（図６参照）のＵ形の開口部２０に挿入される。さらに、サブシステムＢは、２つの穴２１を有する前記部材１７を有しており、この穴を通して弾力性のあるコード状部材１８が挿入されることで、使用時に当該コード状部材１８が陰茎の頭部の先端に伸縮力を加え得る調節環１９を形成する。
【００１１】
ロープ１１は、９ｍｍから１０ｍｍの直径を成し、好適には合成繊維でできている。ロープ調節手段１０及び結合部材１７は、丈夫で柔軟性のない材質で作製され、このような典型的な実施例では透明プラスチックで作製されるが、金属、木材等で作製してもよく、いずれも薄くて軟らかい皮膚のような触り心地の材料を部分的にコーティングしてもよい。Ｌ形の結合部材１７は、このような好適な実施例では、好適には、構成要素及び機能を含む全てを実施し得る最も小さい大きさである。弾力性のあるコード状部材１８は、５ｍｍから６ｍｍの直径を成し、好適にはシリコーンで形成されるが、軟らかいゴムで作製してもよく、好適にはホース状（中空）であるが、コード状（中実）でもよい。
【００１２】
ここで図２を参照すると、本発明に係る陰茎を伸長させるための装着具を、そのサブシステムに分解した様子を示しており、使用時に、まず、バックル２を用いて男性の腰の周りにベルト１を緩く固定する（全ての力が後部のバンド４に加わるため、ベルト１を堅く締める必要はない）ため、バックル２は装着者の体の中央に位置せず、最終的に装着者のズボンのバックルと干渉しない。そして、結合部材１７に結合され弾力性のあるコード状部材１８で形成された弾力性のある環１９に（任意に、１又は２枚の保護ガーゼで事前に包まれた）陰茎の頭部を通すことで、スナップホック１４とハーフリング１６とを具えた締め上げストラップ１５が自由にぶら下がる。そして、前記コード状部材１８で陰茎頭部の近くの陰茎の周りを締め、前記コード状部材１８が溝部２２ａ及び２２ｂを用いて前記結合部材１７に最終的に固定されることで、伸縮力を加えるための支点を与える。その後で、使用の際に、スナップホック７によって環部５を介してベルト１にサブシステムＡを固定し、陰茎及び（すでに繋いである）サブシステムＢが、ロープ調節手段１０、ロープ１１及び保護パッド１２によって形成されたロープ環１３に一緒に通され、前記パッド１２を陰茎の基部の表側（背面側）に置く。さらに、スナップホック１４をベルト１の環部６に繋ぎ、陰茎を伸長させるための装着具を使える状態にする。最後に、締め上げストラップ８及び１５を徐々に且つ交互に締め、所望の牽引力を得る。
【００１３】
伸長している間の陰茎の所望の捻れ角度が、ストラップ１５の下部が開口部２０に沿って滑ること（図３の矢印ｅ又はｆの方向）によって実現し、捻れ角度の調節がＵ形に加えてＬ形の開口部２０により可能である。
【００１４】
締め上げストラップ８及び１５の上部がスナップホック７及び１４をそれぞれ通って自由に滑るため、さらに当該ストラップの下部がロープ１１の部分及び結合部材１７の開口部２０をそれぞれ通って自由に滑るため、（ストラップの装着者の体の近くの側又はストラップのハーフリングを担持している他方の側の一点における牽引力によって、図３の矢印ｃの方向又は矢印ｄの方向のいずれかへの牽引力を実現する場合）ハーフリングを最も簡単に扱い易い装着者の体の場所にハーフリング９及び１６のペアをそれぞれ置くのが非常に簡単であり、衣服の上からでも、さらには歩行中であっても、伸縮力を調節するのが非常に簡単である。
【００１５】
ベルト１にサブシステムＡ及びＢを保持するスナップホック７及び１４を環部５及び６から迅速且つ容易に抜き、当該スナップホックの位置を変えることで、当該サブシステムが、陰茎が安定する装着者の体の側面の迅速且つ容易な変更を与え、これはすなわち、左方又は右方の鼠径部に落ち着いている間に陰茎が伸長することを意味しており、このようなこと全ては、装着具のより良好な快適性及び副次的な悪影響の防止をもたらす。
【００１６】
本発明に係る好適な実施例を図示及び記載したが、本発明の範囲から逸脱せずに様々な改良を行ってもよく、これら全ての同等のもの及び改良したものは、カバーしていることを意味する。
【図面の簡単な説明】
【００１７】
添付図面は本発明を明らかにする。
【００１８】
【図１】図１は、本発明の正面図である。
【図２】図２は、３つのサブシステムを分解した本発明の正面図である。
【図３】図３は、使用者によって装着された本発明の正面図である。
【図４】図４は、使用者によって装着された本発明の背面図である。
【図５】図５は、ロープ調節手段を示す。
【図６】図６は、Ｌ形の接続部材を示す。
【図１】
2009523530.tif 000003
【図２】
2009523530.tif 000004
【図３】
2009523530.tif 000005
【図４】
2009523530.tif 000006
【図５】
2009523530.tif 000007
【図６】
2009523530.tif 000008
【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
締結手段（２）を具えた使用者の腰に巻くためのベルト（１）と、
前記陰茎の基部及び前記ベルトに牽引力を加えて、伸縮力により睾丸が不快に引き上げられるのを防ぐための手段（Ａ）と、
前記陰茎の頭部の先端及び前記ベルトに牽引力を加えるための手段（Ｂ）と、を具えた陰茎を伸長させるための装着具であって、
前記ベルト（１）が、前記ベルトに前記手段（Ａ）及び前記手段（Ｂ）を結合するために位置を調節できる２つのひも状環部（５，６）を後側に具えることを特徴とする装着具。
【請求項２】
前記２つの締め上げストラップ（８，１５）を結合するための環部（５，６）が、穴の開いたバンド（３）の２つの穴を通して２箇所から引き出されるひも（４）から成り、
前記ひも及び前記穴の開いたバンドの双方が前記ベルト（１）後部の外側上部に取り付けられることにより、前記穴の開いたバンドが前記ひもを覆って取り付けられることを特徴とする請求項１に記載の装着具。
【請求項３】
前記陰茎の基部及びベルト（１）に牽引力を加えて伸縮力により睾丸が不快に引き上げられるのを防ぐための手段（Ａ）が、締め上げストラップ（８）を具えており、
さらに、前記ストラップ（８）が、前記ベルト（１）に前記締め上げストラップ（８）を結合するための回転スナップホック（７）と、前記ストラップの長さ調節のための２つのハーフリング（９）と、保護パッド（１２）を具えたロープ（１１）と、前記陰茎の基部の支えのための調節環（１３）を形成するロープ調節手段（１０）と、を有することを特徴とする請求項１に記載の装着具。
【請求項４】
前記陰茎の頭部の先端及び前記ベルト（１）に牽引力を加えるための手段（Ｂ）が、締め上げストラップ（１５）を具えており、
さらに、前記ストラップ（１５）が、前記ベルト（１）に前記ストラップ（１５）を結合するための回転スナップホック（１４）と、前記ストラップ（１５）の長さ調節のための２つのハーフリング（１６）と、柔軟性がありわずかに伸長可能なコード状部材（１８）と、前記締め上げストラップ（１５）に前記陰茎を結合し、前記陰茎の頭部の先端の近くで前記陰茎の周りに巻くための調節環（１９）を形成することで前記陰茎に牽引力を加え得るＬ形の結合部材（１７）と、を有することを特徴とする請求項１に記載の装着具。
【請求項５】
前記陰茎の基部の支えのための前記調節環（１３）を形成するロープ調節手段（１０）が、２つのＵ形分岐部のそれぞれにわずかに重なり合う１組の穴（２３ａと２４ａ，２３ｂと２４ｂ）を有する１つのＵ形の堅い部材であり、
前記ロープ（１１）を通して固定するための前記穴（２３ａ，２４ａ，２３ｂ，２４ｂ）が、前記ロープの直径と等しい直径を有することを特徴とする請求項３に記載の装着具。
【請求項６】
前記締め上げストラップ（１５）に前記陰茎を結合し、前記陰茎の頭部の先端の近くで前記陰茎の周りに巻くための前記調節環（１９）を形成することで前記陰茎に牽引力を加え得るＬ形の結合部材（１７）が、１つの堅い平らなＬ形部材であり、
前記Ｌ形部材が、Ｌ形の短い方の部分に前記締め上げストラップ（１５）を通すためのＵ形の開口部（２０）と、Ｌ形の長い方の部分の各側部のコード状部材（１８）の調節、固定及び素早い解放のため１組の溝部（２２ａ，２２ｂ）と、を有しており、
前記溝部が通り抜ける前記コード状の部材（１８）を締め付けるための寸法となっており、
前記結合部材（１７）が、前記コード状の部材（１８）を通すために前記Ｌ形の長い方の部分の下端の中央に２つの隣接する穴（２１）を有しており、
前記コード状部材が前記陰茎の頭部の先端の近くで前記陰茎に巻くための前記調節環（１９）を形成しており、
前記穴（２１）が前記コード状の部材の直径よりも大きい直径を有していることを特徴とする請求項４に記載の装着具。
【手続補正２】
【補正対象書類名】明細書
【補正対象項目名】０００２
【補正方法】変更
【補正の内容】
【０００２】
陰茎の伸長及び増大に関する課題を解決するための多くの試みがなされている。以下の技術は、当分野の現状を規定する：すなわち、Ｊｏｒｎ（ＥＰ０８１４７３３），Ｊａｋｏｂ（ＷＯ９７２８７６４），Ｈｅｉｎｚ−Ｇｕｅｎｔｈｅｒ（ＤＥ１９９１５４０７  ａｎｄ  ＤＥ１９６２０７１９），Ｄａｎｉｅｌ（ＵＳ５５９９２７５），Ｄｉｄｉｅｒ（ＥＰ０３７０９３２）等であり、全てが機械式及び／又は重力を用いることによって陰茎を伸長させるための機械式器具を説明している一方で、Ｒｏｌａｎｄ（ＵＳ５８３６８６４）は、その発明において同様の目的で真空にすることによって同じような力を使用する。上記の全ての器具は、ある大きな欠点を有している：それらは終日使用するために構成されていない。本器具を構成する機械的なパーツは：硬く、人体の動きに対して敏感で、衣服の中で非常に目立つ大きなサイズのために使用するのに不快感があり、それらは迅速且つ容易な伸長力の調節に関する課題を効果的に解決しない。これら全ての欠点は、これらの器具の使用を家庭での使用、すなわち、人目を避けた使用状態のみに減らしてしまい、結果としてその効果が低くなる。陰茎の伸長及び増大のために絶えず長期間（例えば、１日に６から８時間装着して１年で約２から３ｃｍ増大する）にわたってこれらの器具を装着する必要があるという事実に関して、このような器具を構成する際に考慮しなければならない最も重要な事は、いかなる場合（歩行、座って作業、車の運転、バスの乗車、肉体労働、身体活動及びスポーツ等）であっても器具を使用するのが快適で実用的であるということである。Ｃｈａｎ（ＣＡ２４４４６６３）の陰茎増大下着、及び特にＪｏｃｈｕｍ（ＷＯ９９１８８９７）の陰茎伸長装着具は、一日中装着可能な陰茎を増大させるための手段を開示しているが、いずれの手段も迅速且つ容易な伸縮力の調節に関する問題を効果的に解決しない。
【国際調査報告】
2009523530.tif 000009
2009523530.tif 000010